(57)【要約】【課題】円盤状記録メディアを大量に収納できるとともに、機械的に円盤状記録メディアを収納するのも容易であり、収納された円盤状記録メディアを一覧することができ、さらに収納された円盤状記録メディアを容易に取り出すことが可能な収容容器を提供する。【解決手段】２枚の扉板２と該扉板２の間に設置される１枚以上の中板３からなり、少なくとも中板３の両面に円盤状記録メディアＤの収容部５を備えた円盤状記録メディアの収容容器１であって、扉板２と中板３はそれぞれ外形が略等しい実質的に方形の平板状であって、扉板２の内面側端縁の１辺、中板の一面側端縁の１辺及び該１辺と対向する辺であって他面側に設けられたヒンジ部４を介してジグザグ状に連設されていることにより、扉板２及び中板３をジグザグ状に折り畳むことが可能であることを特徴とする円盤状記録メディアの収容容器１である。【選択図】図３
2010189033.tif 000002
【特許請求の範囲】
【請求項１】
２枚の扉板と該扉板の間に設置される１枚以上の中板からなり、少なくとも中板の両面に円盤状記録メディアの収容部を備えた円盤状記録メディアの収容容器であって、
扉板と中板はそれぞれ外形が略等しい実質的に方形の平板状であって、扉板の内面側端縁の１辺、中板の一面側端縁の１辺及び該１辺と対向する辺であって他面側に設けられたヒンジ部を介してジグザグ状に連設されてなり、扉板及び中板がジグザグ状に折り畳むことが可能であることを特徴とする円盤状記録メディアの収容容器。
【請求項２】
折り畳み時に対向する収容部が、円盤状記録メディアの中心孔と嵌合可能な円周上に突設された２以上の弧状突起からなる保持手段を有し、前記弧状突起の高さは収容する円盤状記録メディアの厚さの２倍以下であり、折り畳み時には対向する面からそれぞれ突設された弧状突起が、対向する面の弧状突起の間に互いに挿入されることを特徴とする請求項１に記載の円盤状記録メディアの収容容器。
【請求項３】
折り畳み時に対向する２面には、それぞれ対向する面を係止する係止部が設けられることを特徴とする請求項１又は２に記載の円盤状記録メディアの収容容器。
【請求項４】
係止部が扉板及び中板の周縁から突設された外周リブと、該外周リブの内側から突設され、対向する外周リブの内側に嵌合される内周リブからなることを特徴とする請求項３に記載の円盤状記録メディアの収容容器。
【請求項５】
２枚の扉板の内面側にも円盤状記録メディアの収容部を備えていることを特徴とする請求項１〜４のいずれか１項に記載の円盤状記録メディアの収容容器。
【発明の詳細な説明】
【技術分野】
【０００１】
本発明は、ＣＤ、ＤＶＤ、ブルーレイディスク等、円盤状記録メディア（以下、単にディスクということがある）を収容するための容器に係り、特に、大量のディスクをコンパクトに収容できるとともに、ディスクを収納するのが容易であり、収納したディスクを一覧することが可能で、さらに任意のディスクを簡単に取り出すことができる円盤状記録メディアの収容容器に関する。
【背景技術】
【０００２】
円盤状記録メディアはデータやプログラム等の文字情報や、音楽情報、画像情報等の記録のために古くから用いられていたが、近年では、例えばバックアップ用データの保存などにも多用されている。
このような円盤状記録メディアは、比較的高価なものは一枚づつ合成樹脂製透明ケースに包装されているが、空ディスクや安価な物になると、例えば特許文献１に記載されているような、ディスクの孔部を貫通する支持棒を上面の中央部から上方に延出させたボトムプレートと、該ボトムプレートの上面を開閉自在に被覆する中空のアウターケースと、を備えるスピンドルケース等に多数積層されて収容される。このようなケースは数十〜数百枚のディスクを一度に収容する場合には適しているものの、記録済みのディスクを保存する際に問題が生じる。
【０００３】
例えば、空ディスクがスピンドルケースに収納されて販売された場合、記録済みのディスクについては、例えば特許文献２に記載されているような、ディスクを収容した複数のシート状保護袋が収納されてなるディスク収納ケース等を別途購入し、これにディスクを収納して保存する事が多い。しかしながら、ディスク収納ケースを別途購入すれば、空ディスクが収納されていたスピンドルケースが不要になり廃棄されてしまうので、資源の無駄遣いを助長し環境を悪化させるばかりでなく、コスト高とならざるを得ない。また、このディスク収納ケースにディスクを収納するには、シート状保護袋を一枚づつ開いてディスクを入れる必要があるが、この作業は手間が掛かり、また商業的に機械的に行うのは困難なので、未使用のディスクを大量に販売する場合の包装用容器としては適さない。
【０００４】
一方、スピンドルケースをそのまま保存に使用することも考えられるが、記録済みディスクをスピンドルケースに積み重ねて収容すれば、記録内容を記載したレーベル面が上に積み重ねたディスクで隠れてしまうため、目的のディスクを探すのが困難である。また、目的のディスクをスピンドルケースから取り出すには、目的のディスクの上に積み重ねられた不要なディスクを先に取り外し、予め用意した適当な場所に不要なディスクを一旦退避させてから必要なディスクを取り出し、それから退避させたディスクをスピンドルケースに戻すといった煩雑な作業が必要になる。
このような問題のうち、目的のディスクを探し出す点については、特許文献３に記載されているような、積み重ねた光記録媒体（ディスク）の間に挟装可能な短冊状の本体と、前記本体に形成され、スピンドルケースの支持柱が挿通可能な所定の形状を有する挿通部と、前記本体の少なくとも一端に設けられ、且つ、前記支持柱を前記挿通部に挿通するとき、前記光記録媒体（ディスク）の外周部より外側にはみ出す表示部と、を有するしおり等を利用することにより解消される。しかしながら、このようなしおりを利用した場合であっても、目的のディスクをスピンドルケースから取り出す際の煩雑さは一向に解消されない。
【先行技術文献】
【特許文献】
【０００５】
【特許文献１】特開２００６−０３６３６１号公報
【特許文献２】特開２００６−０３６２７６号公報
【特許文献３】特開２００７−１１８９９２号公報
【発明の概要】
【発明が解決しようとする課題】
【０００６】
本発明はかかる実情に鑑み、上記従来技術の問題点を解消し、ディスクを大量に収納できるとともに、ディスクを収納するのも容易で機械的に収納することも可能であり、収納されたディスクを一覧することができ、さらに収納されたディスクを取り出すのが簡単な収容容器を提供することを目的とする。
【課題を解決するための手段】
【０００７】
上記目的を達成するために、本発明の請求項１は、２枚の扉板と該扉板の間に設置される１枚以上の中板からなり、少なくとも中板の両面に円盤状記録メディアの収容部を備えた円盤状記録メディアの収容容器であって、
扉板と中板はそれぞれ外形が略等しい実質的に方形の平板状であって、扉板の内面側端縁の１辺、中板の一面側端縁の１辺及び該１辺と対向する辺であって他面側に設けられたヒンジ部を介してジグザグ状に連設されてなり、扉板及び中板がジグザグ状に折り畳むことが可能であることを特徴とする円盤状記録メディアの収容容器を内容とする。
【０００８】
本発明の請求項２は、折り畳み時に対向する収容部が、円盤状記録メディアの中心孔と嵌合可能な円周上に突設された２以上の弧状突起からなる保持手段を有し、前記弧状突起の高さは収容する円盤状記録メディアの厚さの２倍以下であり、折り畳み時には対向する面からそれぞれ突設された弧状突起が、対向する面の弧状突起の間に互いに挿入されることを特徴とする請求項１に記載の円盤状記録メディアの収容容器を内容とする。
【０００９】
本発明の請求項３は、折り畳み時に対向する２面には、それぞれ対向する面を係止する係止部が設けられることを特徴とする請求項１又は２に記載の円盤状記録メディアの収容容器を内容とする。
【００１０】
本発明の請求項４は、係止部が扉板及び中板の周縁から突設された外周リブと、該外周リブの内側から突設され、対向する外周リブの内側に嵌合される内周リブからなることを特徴とする請求項３に記載の円盤状記録メディアの収容容器を内容とする。
【００１１】
本発明の請求項５は、２枚の扉板の内面側にも円盤状記録メディアの収容部を備えていることを特徴とする請求項１〜４のいずれか１項に記載の円盤状記録メディアの収容容器を内容とする。
【発明の効果】
【００１２】
本発明による円盤状記録メディアの収容容器は、２枚の扉板と該扉板の間に設置される１枚以上の中板からなり、これら扉板と中板がジグザグ状に連設されていることにより、扉板及び中板をジグザグ状に折り畳むことができるように構成されている。従って、該収容容器を一枚の板状に延ばすことにより、機械的にディスクを収納するのも容易になり、また、天井等から吊して販売用に展示したりすることができる。また、半開き状態として収容容器を台上に自立させ、両側から収納されているディスクを販売用に展示したり、また、一覧して目的のディスクを探したり、更に、目的のディスクだけを選択して容易に取り出すことができる。また、本発明の収容容器はコンパクトに折り畳むことができるので、大きなスペースを必要とせず書棚等に並べて保存することができる。
【００１３】
収容部が、円盤状記録メディアの中心孔と嵌合可能な円周上に突設された２以上の弧状突起からなる保持手段を有し、前記弧状突起の高さは円盤状記録メディアの厚さの２倍以下であり、折り畳み時には対向する面からそれぞれ突設された弧状突起が、対向する面の弧状突起の間に互いに挿入されるようにすれば、弧状突起の高さがディスクの厚さよりも高く、ディスクを保持し易いばかりでなく、収容容器を折り畳んだ時に弧状突起同士が干渉しないため、コンパクトに折り畳むことができる。
【００１４】
折り畳み時に対向する２面に、それぞれ対向する面を係止する係止部を設けると、折り畳まれた収容容器が不用意に開かないので、安全にディスクを保管できる。また、この係止部を扉板及び中板の周縁から突設された外周リブと、該外周リブの内側から突設され、折り畳み時に対向する外周リブの内側に嵌合される内周リブから構成すると、この外周リブと内周リブがディスクの端縁を保護する壁としても機能するので、より安全にディスクを保管できる。
【００１５】
２枚の扉板の内面側にも円盤状記録メディアの収容部を備えると、更に収容量が増加し、大量のディスクを収容するのに好都合である。
【図面の簡単な説明】
【００１６】
【図１】図１は本発明の円盤状記録メディアの収容容器を折り畳んだ状態を示す斜視図である。
【図２】図２は図１のＡ−Ａ断面図である。
【図３】図３は半開き状態の円盤状記録メディアを図１のＡ−Ａ断面と同じ断面からみた図である。
【図４】図４は隣接する中板のうち２枚が開かれた状態を示す平面図である。
【図５】図５は収容部の他の例を示す平面図である。
【図６】図６は収容部のさらに他の例を示す平面図である。
【発明を実施するための形態】
【００１７】
本発明の円盤状記録メディアの収容容器は、代表的な実施例を示す図１〜図４に基づいて説明すれば、２枚の扉板２と該扉板２の間に設置される１枚以上の中板３からなり、中板の両面に円盤状記録メディアＤの収容部を備えた円盤状記録メディアの収容容器１であって、扉板２と中板３はそれぞれ外形が略等しい実質的に方形の平板状であって、扉板２の内面側端縁の１辺、中板の一面側端縁の１辺及び該１辺と対向する辺であって他面側に設けられたヒンジ部４を介してジグザグ状に連設されていることにより、扉板２及び中板３をジグザグ状に折り畳むことが可能とされていることを特徴とする。
【００１８】
本発明の収容容器１は、完全に展開すれば平板状になり、少なくとも中板の表裏両面にディスクＤが保持される。またこれを完全に折り畳めば、図１に記載したような直方体状になり、ディスクＤは該収容容器の内部に収容される。この収容容器には、最低、中板の数×２枚のディスクＤを収容できるが、本実施例では扉板２の内面側にも収容部５を設けているのでさらに２枚多くのディスクＤを収容できる。なお、普通は１つの収容部に１枚のディスクＤを収容できるようにするが、１つの収容部に２枚以上のディスクＤを収容できるようにする場合は、更に多くのディスクＤを収容できる。
【００１９】
本発明において扉板２とは、本発明の収容容器１を平板状に展開したときに両端に１枚づつ計２枚配置され、直方体状に折り畳んだときに最上部及び最下部に配置される実質的に方形の平板状体である。但し、本発明の効果を妨げない限り、角部を丸めたり、ヒンジ部が設けられていない辺を曲線状にする等、デザイン上の目的等から多少の変形がされていてもよい。
該扉板２の外面側は、図２に示すように、折り畳んだ時に上面及び底面になるので平坦面とするほうが好ましいが、装飾のために凹凸模様などを設けることもできる。
扉板２の内面側の構造は特に限定されず、後述の中板３と同様、ディスクＤを収容するための収容部５を設けてもよいし（本実施例では収容部５が設けられている）、収容したディスクの内容リスト、宣伝広告チラシ、歌詞カード等のメッセージシートを保持するための保持機構（係止爪やクリップ等）を設けることもできる。また、このようなメッセージシートは、扉板２とディスクＤとの間に介装することもできる。
【００２０】
本発明において中板３とは、上記した２枚の扉板２の間に配置される板状体であり、その両面側にディスクＤを保持、収容するための収容部５が設けられている。その外形は上記の扉板２と略等しいので、これら扉板２と中板３を折り畳んで積み重ねることにより全体としてコンパクトな直方体状となる。
但し、外形以外の部分は扉板２と同じである必要はなく、例えば図４に記載されているように、ディスクＤを収容したときにディスクＤの周縁部が配置される部分に指が入る程度の透孔３ａを設け、取り出しやすくすることもできるし、或いは、図５に記載されているように、もっと大きな透孔３ａなどを設けることにより、収容容器１を軽量化するとともに、材料コストを低減し、安価な収容容器とすることもできる。
なお、中板３の枚数は特に限定されず、ディスクＤの所望の収容枚数に応じて適宜定めることができる。
【００２１】
上記の扉板２及び中板３は、扉板２及び中板３をジグザグ状に折り畳むことが可能な形状とされている。
本実施例では、図３に示すように、扉板２−１の内面側（図中、下面側）２ｂの端縁の１辺（２ｂ）と中板３−１の一面側（図中、上面側）３ａの端縁の１辺（３ａ）との間にヒンジ４−１が、また中板３−１の（３ａ）と対向する辺であって他面側（下面側）３ｂの端縁の１辺（３ｂ）と中板３−２の一面側（上面側）３ａの端縁の１辺（３ａ）との間にヒンジ４−２が、また中板３−２の（３ａ）と対向する辺であって他面側（下面側）３ｂの端縁の１辺（３ｂ）と中板３−３の一面側（上面側）３ａの端縁の１辺（３ａ）との間にヒンジ４−３が、また中板４−３の（３ａ）と対向する辺であって他面側（下面側）３ｂの端縁の１辺（３ｂ）と中板３−４の一面側（上面側）３ａの端縁の１辺（３ａ）との間にヒンジ４−４が、更に、中板３−４の（３ａ）と対向する辺であって他面側（下面側）３ｂの端縁の１辺（３ｂ）と扉板２−２の内面側（上面側）２ａの端縁の１辺（２ａ）との間にヒンジ４−５がそれぞれ設けられている。
このように、ヒンジ部４（４−１〜４−５）を介して前記扉板２（２−１、２−２）と中板３（３−１〜３−４）をジグザグ状に連設することにより、扉板及び中板をジグザグ状に折り畳むことができるように構成されている。
【００２２】
中板３の両面側には（好ましくは扉板２の内面側にも）ディスクＤを収容するための収容部５が設けられる。収容部５の構造は従来より合成樹脂製ケース等でディスクの保持のために用いられている構造が全て好適に採用できるが、大量且つ省スペースにディスクＤを保持できる構造のほうが好ましい。特に、折り畳み時に対向する収容部５の場合、図４に示したように、ディスクＤの保持手段６を、ディスクＤの中心孔と嵌合可能な円周上に突設された２以上の弧状突起とし、折り畳み時には対向する面からそれぞれ突設された弧状突起が、対向する面の弧状突起の間に互いに挿入されるようにすれば、保持手段６の先端に返しなどを設けて該保持手段６の突出高さがディスクＤの厚さより大きくしても、折り畳み時に保持手段６同士が干渉せず、省スペースに収容できる。但し、前記弧状突起の突出高さが余りに高すぎると、このような効果が小さくなるので、突出高さは収容する円盤状記録メディアの厚さの２倍以下が好ましい。
【００２３】
なお、本発明における保持手段６は上記のようなディスクＤの中心孔で保持する物に限られず、例えば図５に記載されているように、ディスクの端部で保持するような構成でもよい。
また、通常の場合、１つの収容部５には１枚のディスクＤを収容するようにするのが好ましく、この場合収容容器１全体の大きさは人手で容易に扱える程度の大きさに収まるので好都合である。但し、特に大量のディスクＤを扱う場合には、例えば図６に示したように、１つの収容部に複数の保持手段６を設け複数のディスクＤを収容することもできる。
【００２４】
本発明において係止部７とは、折り畳まれた扉板２及び中板３が不用意に開かないようにするためのものであり、折り畳み時に対向する２面に設けられる。ここで折り畳み時に対向する２面とは、扉板２の内面及び中板３の両面であって、ヒンジ部４を中心に折り曲げたときに内側になる２面のことを言う。
係止方法については特に限定されず、例えば図４に示したような、扉板２及び中板３の周縁から突設された外周リブ７ａと、該外周リブ７ａの内側から突設され、対向する外周リブ７ａの内側に嵌合される内周リブ７ｂからなる嵌合構造を設けることができる。その他、折り畳み時に対向する面に面接合ファスナーを布設したり、或いは先端に返しが設けられた突起と該突起の返しを受容する凹部を設けることもできる。
本発明の円盤状記録メディアの収容容器の材料は、透明又は半透明の合成樹脂が好適である。
【産業上の利用可能性】
【００２５】
叙上のとおり、本発明の円盤状記録メディアの収容容器によれば、扉板及び中板をジグザグ状に折り畳むことができるように構成されている。従って、必要時には一枚の板状に伸ばすことができるので、機械的にディスクを収納するのが容易であり、また、天井等から吊して両面を販売用に展示することができる。また、半開き状態として収容容器を台上に自立させ、両側から収納されているディスクを販売用に展示したり、また一覧して目的のディスクを探したり、また目的のディスクだけを選択して取り出すことができる。更に、小さく折り畳んで直方体状とし、書棚等に省スペースで保存することができる。したがって、販売時におけるディスクの展示用として使用できるだけでなく、空ディスクや記録済みディスクの保存用としても用いることができる収容容器として頗る有用である。
【符号の説明】
【００２６】
１  円盤状記録メディアの収容容器
２、２−１、２−２  扉板
３、３−１、３−２、３−３、３−４  中板
３ａ  透孔
４、４−１、４−２、４−３、４−４、４−５  ヒンジ部
５  収容部
６  保持手段
７  係止部
７ａ  外周リブ
７ｂ  内周リブ
Ｄ  円盤状記録メディア（ディスク）
【図１】
2010189033.tif 000003
【図２】
2010189033.tif 000004
【図３】
2010189033.tif 000005
【図４】
2010189033.tif 000006
【図５】
2010189033.tif 000007
【図６】
2010189033.tif 000008